(57)【特許請求の範囲】
【請求項１】
庫内に商品収納ラックを搭載したキャビネットの前面側に断熱内扉，および扉の内側にコインメック，キャッシュボックス等を組み込んだ外扉を配し、かつ前記内扉に開口した商品搬出口には搬出商品に押されて前方に開くフラッパ，外扉の前面に前記商品搬出口に通じる商品取出口を備えるとともに、外扉の裏面側には商品取出口の内方からその上部側に設置したキャッシュボックスに通じる隙間に張り出して商品取出口から差し入れた手がキャッシュボックスに届くのを邪魔する防盗板を備えた自動販売機において、前記防盗板を防盗位置からメンテナンス位置に後退操作可能な可倒式の防盗板となし、常時は防盗板を商品取出口の上部から斜め上方に突き出してキャッシュボックスの背後域を覆う防盗位置に保持し、外扉を開いてキャッシュボックスを取り外す際に防盗板を下方に倒してメンテナンス位置に後退させるようにしたことを特徴とする自動販売機。
【請求項２】
請求項１記載の自動販売機において、防盗板の防盗位置を、断熱内扉に装備した商品搬出用フラッパの開閉移動範囲から外れた位置に設定したことを特徴とする自動販売機。
【請求項３】
請求項１記載の自動販売機において、防盗板を防盗位置とメンテナンス位置との間で揺動可能に軸支し、かつ復帰ばねを介して防盗位置にばね付勢するようにしたことを特徴とする自動販売機。
【発明の詳細な説明】
【０００１】
【発明の属する技術分野】
この発明は、自動販売機、詳しくは前面外扉の商品取出口に組み込んだ防盗構造に関する。
【０００２】
【従来の技術】
まず、この発明の実施対象となる自動販売機の全体構造を図３に示す。図において、１は自動販売機のキャビネット、２は断熱内扉、２ａは内扉の下部に開口した商品搬出口のフラッパ、３は外扉、４はキャビネット１の庫内に搭載して商品５を収納する商品収納ラック、６は庫内底部に敷設した商品搬出用コンベヤであり、外扉３の前面下部には商品収納ラック４から搬出した商品５を外部に取り出すための商品取出口７、その上部側には販売商品見本を陳列するディスプレイ室８，コイン操作部９を備えており、前記のコイン操作部９に対応して扉の裏面側にはコインメック１０，キャッシュボックス１０ａ等が設置されている。
【０００３】
また、商品取出口７には、前後面を開口した箱形の商品受け台７ａ，および商品受け台７ａの前面開口部を覆うフラッパ７ｂを組み込み、さらに商品受け台７ａの天井側には商品取出口７の内方からその上部側に設置したキャッシュボックス１０ａに通じる扉裏面側の隙間を塞ぐように防盗板７ｃを張り出し形成し、商品取出口７から手を奥に差し入れてコインメック１０，キャッシュボックス１０ａ等を悪戯できないようにしている。
【０００４】
なお、かかる構成になる自動販売機の販売動作は周知の通りであり、販売指令により商品収納ラック４から搬出した商品５は、コンベヤ６により前方に搬送され、内扉２の商品搬出用フラッパ２ａを前方に押し開いて商品取出口７の商品受け台７ａの中に落ち込む。また、客が投入したコインはコインメック１０を経由してキャッシュボックス１０ａの中に格納される。
【０００５】
なお、いたずら行為で商品取出口７から手を差し入れ、その上方に設置したキャッシュボックス１０ａから不当に金銭を盗み取ろうとしても、前記した防盗板７ｃが邪魔して手がキャッシュボックスには届かない。
【０００６】
【発明が解決しようとする課題】
ところで、前記構成の自動販売機において、特に高さ寸法の大きな大形商品を販売する場合には次記のような問題が派生する。すなわち、大形サイズの商品を販売するには、その商品の高さ寸法に合わせて断熱内扉２に開口した商品搬出口を広げる必要があり、これに伴って当然のことながらフラッパ２ａの寸法も大形になる。一方、外扉３に組み込んだコインメック１０，キャッシュボックス１０ａなどは、コイン操作部９との関係から設置スペース，レイアウトに制約があってその取付け位置を大幅に変更することは殆ど不可能である。
【０００７】
そのために、図４で表すように断熱内扉２に開口した商品搬出口の高さＨを大形商品５のサイズに合わせて拡大すると、そのフラッパ２ａが開いた際に図３で述べた防盗板７ｃと干渉するようになる。すなわち、防盗板７ｃを図３のように平坦板としてそのまま外扉３の裏面側に張り出すと、このままでは図４の鎖線で表すように防盗板７ｃが邪魔してフラッパ２ａが中途半端な位置までしか開放せず、大形商品５が搬出不能となる。そこで、防盗板７ｃとフラッパ２ａとの干渉を避けるためには、図４の実線で表すように防盗板７ｃの先端を斜め上方に折り曲げてフラッパ２ａの開閉軌跡の外側に位置させればよい。
【０００８】
しかしながら、図示のようにキャッシュボックス１０ａが商品取出口７の直ぐ上に接近して位置していると、斜め上方に張り出した防盗板７ａがキャッシュボックス１０ａの背後を塞ぐために、コイン回収時に外扉を開いてキャッシュボックス１０ａを引き出すのに邪魔となる。
この発明は上記の点に鑑みなされたものであり、その目的は前記課題を解決し、自動販売機で大形サイズの商品を販売する場合でも、商品搬出動作を阻害することなく本来の防盗機能を確保し、一方では商品取出口の上部側に並ぶコインメックのキャッシュボックスの取出し操作の邪魔にならないように外扉の商品取出口に組み込んだ防盗板を改良した自動販売機を提供することにある。
【０００９】
【課題を解決するための手段】
上記目的を達成するために、この発明によれば、庫内に商品収納ラックを搭載したキャビネットの前面側に断熱内扉，および扉の内側にコインメック，キャッシュボックス等を組み込んだ外扉を配し、かつ前記内扉に開口した商品搬出口には搬出商品に押されて前方に開くフラッパ，外扉の前面に前記商品搬出口に通じる商品取出口を備えるとともに、外扉の裏面側には商品取出口の内方からその上部側に設置したキャッシュボックスに通じる隙間に張り出して商品取出口から差し入れた手がキャッシュボックスに届くのを邪魔する防盗板を備えた自動販売機において、
（１）  前記防盗板を防盗位置からメンテナンス位置に後退操作可能な可倒式の防盗板となし、常時は防盗板を商品取出口の上部から斜め上方に突き出してキャッシュボックスの背後域を覆う防盗位置に保持し、外扉を開いてキャッシュボックスを取り外す際に防盗板を下方に倒してメンテナンス位置に後退させるように構成する。（請求項１）
（２）  前項（１）  の構成において、防盗板の防盗位置を、断熱内扉に装備した商品搬出用フラッパの開閉移動範囲から外れた位置に設定する。（請求項２）
（３）  前項（１）  の構成において、防盗板を防盗位置とメンテナンス位置との間で揺動可能に軸支し、かつ復帰ばねを介して防盗位置にばね付勢するようにする。（請求項３）
上記の構成によれば、商品販売動作に伴って前方に開く断熱内扉の商品搬出フラッパが防盗板と干渉することがなく、これにより大形商品を販売する場合でもその商品搬出動作に支障を来すことがない。一方、外扉からコインメックのキャッシュボックスを取り外してコインを回収する際には、防盗板をメンテナンス位置に押し下げることで、防盗板に邪魔されることなくキャッシュボックスをそのまま後方に引き出すことができる。
【００１０】
【発明の実施の形態】
以下、この発明の実施の形態を図１，図２に示す実施例に基づいて説明する。なお、実施例の図中で、図４に対応する同一部材には同じ符号が付してある。
図１において、商品取出口７の上部には、この発明による可倒式の防盗板１１が組み込まれている。この可倒式防盗板１１の具体的な構造は、図２で示すように、ピン軸受部１１ａを備えた左右一対のヒンジアーム１１ｂの後端から斜め上方に傾斜する庇板１１ｃが張り出した構造になり、そのピン軸受部１１ａが商品取出口７の商品受け台７ａの側壁にピン結合されている。さらに、ヒンジアーム１１ｂの先端と受け台７ａとの間に復帰ばね（引っ張りばね）１２を架設し、この復帰ばね１２のばね力で防盗板１１を図１の実線位置に向けて付勢している。なお、実際の組立構造ではヒンジアーム１１ｂを商品受け台７ａの側壁の外側に配置し、商品取出口７の内方から手で直接触れないようにしている。
【００１１】
かかる構成で、常時は復帰ばね１２のばね力で防盗板１１が図１の実線で表す防盗位置に付勢保持されており、この防盗位置では斜め上方に張り出した防盗板１１の庇板１１ｃが商品取出口７の上部側に並ぶキャッシュボックス１０ａの背後を覆うように外扉３の断熱内扉２との間の隙間を塞ぎ、商品取出口７から差し入れた手がキャッシュボックス１０ａに届くのを阻止している。また、この防盗位置では防盗板１１の庇板１１ｃが断熱内扉２のフラッパ２ａの開閉移動範囲の外側に位置しており、図４で述べたように大形商品５の販売動作に伴ってフラッパ２ａが前方に大きく開いても、防盗板１１と干渉してフラッパの開放動作が阻害されるおそれはない。
【００１２】
一方、キャッシュボックス１０ａに溜まっているコインを回収するために、外扉３を開いてキャッシュボックス１０ａを取り出す場合には、前記した復帰ばね１２に抗して防盗板１１の庇板１１ｃを手動操作で下方に押し下げ、図１の鎖線で表すメンテナンス位置に後退させる。これにより、防盗板１１に邪魔されることなく、キャッシュボックス１０ａをそのまま外扉３から背後に引き出すことができる。また、キャッシュボックス１０ａを外扉３に装荷した後に防盗板１１から手を離すと、復帰ばね１２のばね力で防盗板１１が防盗位置に自動的に復帰する。
【００１３】
【発明の効果】
以上述べたように、この発明によれば、外扉の商品取出口に組み込んだ防盗板を可倒式として，その防盗位置では斜め上方に張り出した防盗板で商品取出口の内方からその上部に設置したコインメックのキャッシュボックスに通じる外扉裏面側の隙間を塞ぐようにしたことにより、大形サイズの商品を販売する場合でも断熱内扉に配した商品搬出フラッパと防盗板との不当な干渉を防ぎつつ、本来の防盗機能を確保することができる。また、キャッシュボックスに溜まったコインを回収するために、外扉を開いてキャッシュボックスを取り出す際に、可倒式防盗板をメンテナンス位置に後退させることで、防盗板に邪魔されることなくキャッシュボックスをそのまま後方に引き出すことができるなど、防盗機能，および取扱性に優れた効果を発揮する。
【図面の簡単な説明】
【図１】この発明の実施例による自動販売機の商品取出口に備えた防盗機構の構造を表す断面図
【図２】図１における可倒式防盗板の外観斜視図
【図３】本発明の実施対象となる自動販売機全体の従来構成図であり、（ａ）  は正面図、（ｂ）  は側断面図
【図４】図３における商品取出口部分の防盗機構の構造を表す断面図
【符号の説明】
１    キャビネット
２    断熱内扉
２ａ  商品搬出フラッパ
３    外扉
４    商品収納ラック
５    商品
７    商品取出口
１０    コインメック
１０ａ  キャッシュボックス
１１    可倒式防盗板
１２    復帰ばね
【図１】
0003632369.tif 000002
【図２】
0003632369.tif 000003
【図３】
0003632369.tif 000004
【図４】
0003632369.tif 000005